(57)【特許請求の範囲】
【請求項１】
デジタルサービス信号を収容するデジタルサービス信号収容手段と、
アナログ系同報サーバ手段から送信される同報サービス用アナログサービス信号を収容するアナログサービス信号収容手段と、
前記デジタルサービス信号収容手段が収容するデジタルサービス信号を伝送するデジタル伝送路に、前記アナログサービス信号収容手段が収容する同報サービス用アナログサービス信号を転送する手段と、
を含むサービス信号収容装置と、
前記デジタル伝送路に前記同報サービス用アナログサービス信号が転送されることで前記デジタル伝送路と前記同報サービス用アナログサービス信号を伝送するアナログ伝送路とを共有して収容する管路により前記サービス信号収容装置に接続され、
前記管路に収容されているデジタル伝送路から受信した前記デジタルサービス信号を変調してアナログサービス信号に変換する変調手段と、
該変調手段から出力されるアナログサービス信号と前記管路に収容されているアナログ伝送路から受信した前記同報サービス用アナログサービス信号とを混合するアナログサービス信号混合手段と、
前記アナログサービス信号混合手段によって混合されたアナログサービス信号と同報サービス用アナログサービス信号とを出力する手段と、
を含む加入者終端装置と、
を含むことを特徴とするアナログ系同報サービスとデジタル系サービスとが混在したサービス分配システム。
【請求項２】
請求項１に記載のサービス分配システムに使用するサービス信号収容装置であって、
デジタルサービス信号を収容するデジタルサービス信号収容手段と、
アナログ系同報サーバ手段から送信される同報サービス用アナログサービス信号を収容するアナログサービス信号収容手段と、
前記デジタルサービス信号収容手段が収容するデジタルサービス信号を伝送するデジタル伝送路に、前記アナログサービス信号収容手段が収容する同報サービス用アナログサービス信号を転送する手段と、
を含むことを特徴とするサービス信号収容装置。
【請求項３】
請求項１に記載のサービス分配システムに使用される加入者終端装置であって、
サービス信号収容装置内のデジタルサービス信号収容手段が収容するデジタルサービス信号を伝送するデジタル伝送路に前記サービス信号収容手段内のアナログサービス信号収容手段が収容する同報サービス用アナログサービス信号が転送されることで、前記デジタル伝送路と前記前記同報サービス用アナログサービス信号を伝送するアナログ伝送路とを共有して収容する管路により前記サービス信号収容装置に接続され、
前記管路に収容されているデジタル伝送路から受信した前記デジタルサービス信号を変調してアナログサービス信号に変換する変調手段と、
該変調手段から出力されるアナログサービス信号と前記管路に収容されているアナログ伝送路から受信した前記同報サービス用アナログサービス信号とを混合するアナログサービス信号混合手段と、
前記アナログサービス信号混合手段によって混合されたアナログサービス信号と同報サービス用アナログサービス信号とを出力する手段と、
を含むことを特徴とする加入者終端装置。
【請求項４】
デジタルサービス信号を収容するデジタルサービス信号収容手段と、
該デジタルサービス信号収容手段が収容するデジタルサービス信号のうち同報サービス用デジタルサービス信号を変調して同報サービス用アナログサービス信号に変換する第１の変調手段と、
アナログ系同報サーバ手段から送信される同報サービス用アナログサービス信号を収容するアナログサービス信号収容手段と、
該アナログサービス信号収容手段が収容する同報サービス用アナログサービス信号と前記第１の変調手段が出力する同報サービス用アナログサービス信号とを混合する混合手段と、
前記デジタルサービス信号収容手段が収容するデジタルサービス信号のうち前記同報サービス用デジタルサービス信号以外のデジタルサービス信号を伝送するデジタル伝送路に、前記混合手段が出力する同報サービス用アナログサービス信号を転送する手段と、
を含むサービス信号収容装置と、
前記デジタル伝送路に前記同報サービス用アナログサービス信号が転送されることで前記デジタル伝送路と前記同報サービス用アナログサービス信号を伝送するアナログ伝送路とを共有して収容する管路により前記サービス信号収容装置に接続され、
前記管路に収容されているデジタル伝送路から受信した前記デジタルサービス信号を変調してアナログサービス信号に変換する第２の変調手段と、
該第２の変調手段から出力されるアナログサービス信号と前記管路に収容されているアナログ伝送路から受信した前記同報サービス用アナログサービス信号とを混合するアナログサービス信号混合手段と、
前記アナログサービス信号混合手段によって混合されたアナログサービス信号と同報サービス用アナログサービス信号とを出力する手段と、
を含む加入者終端装置と、
を含むことを特徴とするアナログ系同報サービスとデジタル系サービスとが混在したサービス分配システム。
【請求項５】
前記デジタルサービス信号収容手段が収容するデジタルサービス信号のうち同報サービス用デジタルサービス信号は、ニア・ビデオ・オン・デマンド・サービスのための信号である、
ことを特徴とする請求項４に記載のアナログ系同報サービスとデジタル系サービスとが混在したサービス分配システム。
【請求項６】
前記デジタルサービス信号収容手段が収容するデジタルサービス信号のうち同報サービス用デジタルサービス信号は、デジタル画像符号化された信号である、
ことを特徴とする請求項４に記載のアナログ系同報サービスとデジタル系サービスとが混在したサービス分配システム。
【請求項７】
請求項４乃至６の何れか１項に記載のサービス分配システムに使用するサービス信号収容装置であって、
デジタルサービス信号を収容するデジタルサービス信号収容手段と、
該デジタルサービス信号収容手段が収容するデジタルサービス信号のうち同報サービス用デジタルサービス信号を変調して同報サービス用アナログサービス信号に変換する変調手段と、
アナログ系同報サーバ手段から送信される同報サービス用アナログサービス信号を収容するアナログサービス信号収容手段と、
該アナログサービス信号収容手段が収容する同報サービス用アナログサービス信号と前記変調手段が出力する同報サービス用アナログサービス信号とを混合する混合手段と、
前記デジタルサービス信号収容手段が収容するデジタルサービス信号のうち前記同報サービス用デジタルサービス信号以外のデジタルサービス信号を伝送するデジタル伝送路に、前記混合手段が出力する同報サービス用アナログサービス信号を転送する手段と、
を含むことを特徴とするサービス信号収容装置。
【請求項８】
請求項４乃至６の何れか１項に記載のサービス分配システムに使用される加入者終端装置であって、
サービス信号収容装置内のデジタルサービス信号収容手段が収容するデジタルサービス信号のうち前記同報サービス用デジタルサービス信号以外のデジタルサービス信号を伝送するデジタル伝送路に前記サービス信号収容装置内の混合手段が出力する同報サービス用アナログサービス信号が転送されることで、前記デジタル伝送路と前記前記同報サービス用アナログサービス信号を伝送するアナログ伝送路とを共有して収容する管路により前記サービス信号収容装置に接続され、
前記管路に収容されているデジタル伝送路から受信した前記デジタルサービス信号を変調してアナログサービス信号に変換する変調手段と、
該変調手段から出力されるアナログサービス信号と前記管路に収容されているアナログ伝送路から受信した前記同報サービス用アナログサービス信号とを混合するアナログサービス信号混合手段と、
前記アナログサービス信号混合手段によって混合されたアナログサービス信号と同報サービス用アナログサービス信号とを出力する手段と、
を含むことを特徴とする加入者終端装置。
【発明の詳細な説明】
【０００１】
【産業上の利用分野】
本発明は、ケーブルテレビジョン（ＣＡＴＶ）等のアナログ系同報サービスとＮＶＯＤ（Near Video-On-Demand）等のデジタル系サービスとが混在したサービスの分配方式に関する。
【０００２】
【従来の技術】
マルチメディア技術と伝送路技術の発達により、従来からのケーブルテレビジョン（ＣＡＴＶ）網等のアナログ系同報サービス網に、ビデオ・オン・デマンド（ＶＯＤ:Video-On-Demand）、ニア・ビデオ・オン・デマンド（ＮＶＯＤ:Near Video-On-Demand ）等のデジタル・ソースを信号源とするデジタル系サービスを混在させて各加入者に提供する技術が開発されつつある。ここで、ビデオ・オン・デマンド・サービスは、各加入者から任意のビデオソースへのアクセス要求が発生すると、各加入者に対して個別に、要求されたビデオソースの信号が提供されるサービスである。一方、ニア・ビデオ・オン・デマンド・サービスは、複数の加入者に複数のビデオソースの信号が同報的に供給され、各加入者は、それらの供給されている複数のビデオソースから任意のものを選択することのできるサービスである。
【０００３】
図５に、アナログ系同報サービス網にデジタル系サービスを混在させるための従来技術を示す。
ＣＡＴＶ−ＨＥ（CAble TeleVision-Head End ）５０１から送信されたアナログＣＡＴＶ信号は、#1〜＃ｎの管路５０４に収容される各アナログ伝送路によって#1〜＃ｎのＯＮＵ（Optical Network Unit）５０２に伝送される。各ＯＮＵ５０２は、受信したアナログＣＡＴＶ信号を、同軸ケーブルにより、複数の加入者毎に設置されたＳＴＢ（Set Top Box ）５０３に分配する。この構成が、従来からのアナログＣＡＴＶ網である。
【０００４】
一方、ＶＯＤ又はＮＶＯＤ等のデジタル系サービスを提供する、特には図示しないデジタル・ソースからのデジタルサービス信号は、ＨＤＴ（Host DigitalTerminal）５０６で受信された後、#1〜＃ｎの管路５０７に収容される各デジタル伝送路によって#1〜＃ｎのＯＮＵ５０２に伝送される。各ＯＮＵ５０２では、上記デジタルサービス信号は、変調器５０８によってＱＡＭ、ＶＳＢ等の変調方式で変調されてアナログサービス信号に変換された後、そのアナログサービス信号は、ミキサ（ＭＩＸ）５０５によってアナログＣＡＴＶ信号と混合され、同軸ケーブルにより、複数の加入者毎に設置されたＳＴＢ５０３に分配される。
【０００５】
【発明が解決しようとする課題】
しかし、上記従来技術では、ＣＡＴＶ−ＨＥ５０１から各ＯＮＵ５０２へアナログＣＡＴＶ信号を伝送するための管路５０４に収容されるアナログ伝送路のルートと、ＨＤＴ５０６から各ＯＮＵ５０２へデジタルサービス信号を伝送するための管路５０７に収容されるデジタル伝送路のルートとが完全に分離されているため、#１〜＃ｎの各アナログ伝送路用管路５０４及び#１〜＃ｎの各デジタル伝送路用管路５０７を別々に設置する必要があり、必要な設備が増加してしまうという第１の問題点を有している。
【０００６】
また、ＮＶＯＤサービス等のデジタル同報系サービスの信号が各加入者に分配される場合は、各加入者には同じデジタルサービス信号が同報的に分配されるため、ＨＤＴ５０６から#1〜＃ｎの各ＯＮＵ５０２には同じデジタルサービス信号が分配される。そして、上記従来技術においては、各ＯＮＵ５０２には、各管路５０７に収容されるデジタル伝送路から入力された共通のデジタルサービス信号を共通のアナログサービス信号に変換するための変調器５０８が各ＯＮＵ５０２間で重複して必要となり、必要な設備が増大していしまうという第２の問題点を有している。
【０００７】
本発明は、アナログ系同報サービスとデジタル系サービスとを効率良く混在可能とすることを目的とする。
【０００８】
【課題を解決するための手段】
まず、本発明の第１の態様について説明する。
始めに、デジタルサービス信号収容手段とアナログサービス信号収容手段とを含むサービス信号収容装置（ＨＤＴ１０２）を有する。
【０００９】
ここで、デジタルサービス信号収容手段（デジタル部１０２−１）は、デジタルサービス信号（デジタルサービス信号１０３）を収容する。
また、アナログサービス信号収容手段（アナログ部１０２−２）は、アナログ系同報サーバ手段（ＣＡＴＶ−ＨＥ１０１）から送信される同報サービス用アナログサービス信号（アナログＣＡＴＶ信号１０４）を収容する。
【００１０】
次に、サービス信号収容装置内のデジタルサービス信号収容手段が収容するデジタルサービス信号を伝送するデジタル伝送路とサービス信号収容装置内のアナログサービス信号収容手段が収容する同報サービス用アナログサービス信号を伝送するアナログ伝送路とを収容する管路（管路１０５）によりサービス信号収容装置に接続され、変調手段とアナログサービス信号混合手段とを含む加入者終端装置（ＯＮＵ１０６）を有する。
【００１１】
ここで、変調手段（変調器１０８）は、上述の管路に収容されているデジタル伝送路から受信したデジタルサービス信号を変調してアナログサービス信号に変換する。
【００１２】
また、アナログサービス信号混合手段（ミキサ１０７）は、変調手段から出力されるアナログサービス信号と上述の管路に収容されているアナログ伝送路から受信した同報サービス用アナログサービス信号とを混合して加入者に向け出力する。
【００１３】
続いて、本発明の第２の態様について説明する。
始めに、デジタルサービス信号収容手段と変調手段とアナログサービス信号収容手段と混合手段とを含むサービス信号収容装置（ＨＤＴ２０２）を有する。
【００１４】
ここで、デジタルサービス信号収容手段（デジタル部２０２−１）は、デジタルサービス信号（デジタルサービス信号２０３）を収容する。
また、変調手段（変調器２０６）は、デジタルサービス信号収容手段が収容するデジタルサービス信号のうち同報サービス用デジタルサービス信号（同報サービス用のデジタルサービス信号２０５）を変調して同報サービス用アナログサービス信号に変換する。この同報サービス用デジタルサービス信号は、例えば、ニア・ビデオ・オン・デマンド・サービスのための信号又はデジタル画像符号化された信号等である。
【００１５】
また、アナログサービス信号収容手段（アナログ部２０２−２）は、アナログ系同報サーバ手段（ＣＡＴＶ−ＨＥ２０１）から送信される同報サービス用アナログサービス信号（アナログＣＡＴＶ信号２０４）を収容する。
【００１６】
更に、混合手段（ミキサ２０７）は、アナログサービス信号収容手段が収容する同報サービス用アナログサービス信号と変調手段（変調器２０６）が出力する同報サービス用アナログサービス信号とを混合する。
【００１７】
次に、サービス信号収容装置内のデジタルサービス信号収容手段が収容するデジタルサービス信号のうち同報サービス用デジタルサービス信号以外のデジタルサービス信号を伝送するデジタル伝送路とサービス信号収容装置内の混合手段が出力する同報サービス用アナログサービス信号を伝送するアナログ伝送路とを収容する管路（管路２０９）によりサービス信号収容装置に接続され、変調手段とアナログサービス信号混合手段とを含む加入者終端装置（ＯＮＵ２１０）を有する。
【００１８】
ここで、変調手段（変調器２１２）は、上述の管路に収容されているデジタル伝送路から受信したデジタルサービス信号を変調してアナログサービス信号に変換する。
【００１９】
アナログサービス信号混合手段（ミキサ２１１）は、変調手段（変調器２１２）から出力されるアナログサービス信号と上述の管路に収容されているアナログ伝送路から受信した同報サービス用アナログサービス信号とを混合して加入者に向け出力する。
【００２０】
【作用】
本発明の第１の態様では、アナログ系同報サーバ手段から送信される同報サービス用アナログサービス信号が、デジタルサービス信号が収容されるサービス信号収容装置に転送されることにより、同報サービス用アナログサービス信号を各加入者終端装置に伝送するためのアナログ伝送路を、デジタルサービス信号を加入者終端装置に伝送するためのデジタル伝送路が収容される管路に共有させて収容することができる。この結果、管路の本数が削減され、必要な設備が削減される。
【００２１】
本発明の第２の態様では、第１の態様と同様の作用に加えて、ニア・ビデオ・オン・デマンド・サービスやリアルタイム映像等の同報サービス用デジタルサービス信号は、サービス信号収容装置内の変調手段により変調されて同報サービス用アナログサービス信号に変換され、アナログ系同報サーバ手段から伝送されてきた同報サービス用アナログサービス信号と混合されてから、加入者終端装置に伝送される。従って、各加入者終端装置は、ＶＯＤ等の個別分配サービス用デジタルサービス信号を変調するための変調手段のみを内蔵すればよく、同報サービス用デジタルサービス信号を変調するための変調手段は内蔵する必要がない。この結果、変調手段の数が削減され、必要な設備が削減される。
【００２２】
【実施例】
以下、図面を参照しながら本発明の実施例につき詳細に説明する。
第１の実施例
図１は、本発明の第１の実施例の構成図である。
【００２３】
ＣＡＴＶ−ＨＥ（CAble TeleVision-Head End ）１０１から送信されたアナログＣＡＴＶ信号１０４は、まず、ＨＤＴ（Host DigitalTerminal）１０２内のアナログ部１０２−２に収容された後に、#1〜＃ｎの管路１０５に収容されるアナログ伝送路によって#1〜＃ｎのＯＮＵ（Optical Network Unit）１０６に伝送される。各ＯＮＵ１０６は、受信したアナログＣＡＴＶ信号１０４を、ミキサ（ＭＩＸ）１０７を介して、同軸ケーブルにより、複数の加入者毎に設置されたＳＴＢ１０９に分配する。
【００２４】
一方、ＶＯＤ又はＮＶＯＤ等のデジタル系サービスを提供する、特には図示しないデジタル・ソースからのデジタルサービス信号１０３は、ＨＤＴ１０２内のデジタル部１０２−１に収容された後に、#1〜＃ｎの管路１０５に収容されるデジタル伝送路によって#1〜＃ｎのＯＮＵ１０６に伝送される。各ＯＮＵ１０６では、上記デジタルサービス信号１０３は、変調器１０８によりＱＡＭ、ＶＳＢ等の変調方式で変調されてアナログサービス信号に変換される。この場合、例えばＮＶＯＤサービス用のチャネルは変調器１０８−１によって変調され、ＶＯＤサービス用のチャネルは変調器１０８−２によって変調される。この結果出力されるアナログサービス信号は、ミキサ１０７によってアナログＣＡＴＶ信号１０４と混合され、同軸ケーブルにより、複数の加入者毎に設置されたＳＴＢ１０９に分配される。
【００２５】
以上の説明から理解されるように、第１の実施例では、ＣＡＴＶ−ＨＥ１０１から送信されたアナログＣＡＴＶ信号１０４がＨＤＴ１０２に転送されることにより、アナログＣＡＴＶ信号１０４を#1〜＃ｎのＯＮＵ１０６に伝送するための#1〜＃ｎのアナログ伝送路を、デジタルサービス信号１０３を#1〜＃ｎのＯＮＵ１０６に伝送するための#1〜＃ｎの各デジタル伝送路が収容される#1〜＃ｎの管路１０５に共有させて収容することができる。この結果、必要な管路１０５の本数は、ｎ本となり、図５に示される従来技術の場合における本数２×ｎ本の半分となる。このように、第１の実施例によって、必要な設備を削減することができる。
【００２６】
なお、１つのＨＤＴ１０２は多数（第１の実施例ではｎ個）のＯＮＵ１０６を収容しており、アナログ系同報サービスとデジタル系サービスとが混在した網全体でのＨＤＴ１０２の数はＯＮＵ１０６の数に比較して非常に少ない。従って、アナログＣＡＴＶ信号１０４をＣＡＴＶ−ＨＥ１０１からＨＤＴ１０２まで伝送するためのルートを設けることによる必要な設備の増加は、少なくて済む。
【００２７】
また、第１の実施例の場合、#1〜＃ｎのＯＮＵ１０６全体で必要な変調器１０８の数は、以下に示される如くとなる。
ＮＶＯＤサービスチャネル用の変調器１０８−１の数
：ｘチャネル分×ｎ台（ＯＮＵ１０６の数）        ・・・▲１▼
ＶＯＤサービスチャネル用の変調器１０８−２の数
：ｙ1 チャネル分＋・・・＋ｙn チャネル分        ・・・▲２▼
この▲１▼＋▲２▼の全体数は、図５に示される従来技術の場合と同じである。
第２の実施例
図２は、本発明の第２の実施例の構成図である。
【００２８】
ＣＡＴＶ−ＨＥ２０１から送信されたアナログＣＡＴＶ信号２０４は、まず、ＨＤＴ２０２内のアナログ部２０２−２内のミキサ（ＭＩＸ）２０７において、変調器２０６から出力される後述するアナログサービス信号と混合される。この結果、ミキサ２０７から出力されるアナログサービス信号２０８は、#1〜＃ｎの管路２０９に収容されるアナログ伝送路により#1〜＃ｎのＯＮＵ２１０に伝送される。各ＯＮＵ２１０は、受信したアナログサービス信号２０８を、ミキサ（ＭＩＸ）２１１を介して、同軸ケーブルにより、複数の加入者毎に設置されたＳＴＢ２１３に分配する。
【００２９】
一方、特には図示しないデジタル・ソースからのデジタルサービス信号２０３のうち、ＶＯＤ等の各加入者別（ＳＴＢ別）の個別分配サービス用のデジタルサービス信号２０４は、ＨＤＴ２０２内のデジタル部２０２−１に収容された後、#1〜＃ｎの管路２０９に収容されるデジタル伝送路によって#1〜＃ｎのＯＮＵ２１０に伝送される。各ＯＮＵ２１０では、上記個別分配サービス用のデジタルサービス信号２０４は、変調器２１２により変調されてアナログサービス信号に変換される。このアナログサービス信号は、ミキサ２１１によって同報サービス用のアナログサービス信号２０８と混合され、同軸ケーブルにより、複数の加入者毎に設置されたＳＴＢ２１３に分配される。
【００３０】
また、特には図示しないデジタル・ソースからのデジタルサービス信号２０３のうち、ＮＶＯＤ等の同報サービス用のデジタルサービス信号２０５は、ＨＤＴ２０２内のデジタル部２０２−１内の変調器２０６により変調されてアナログサービス信号に変換される。このアナログサービス信号は、ミキサ２０７によってＣＡＴＶ−ＨＥ２０１からのアナログＣＡＴＶ信号２０４と混合される。この結果、ミキサ２０７から出力される同報サービス用のアナログサービス信号２０８は、前述したように、#1〜＃ｎの管路２０９に収容されるアナログ伝送路により#1〜＃ｎのＯＮＵ２１０に伝送され、更に、複数の加入者毎に設置されたＳＴＢ２１３に分配される。
【００３１】
以上の説明から理解されるように、第２の実施例では、第１の実施例の場合と同様に、ＣＡＴＶ−ＨＥ２０１から送信されたアナログＣＡＴＶ信号２０４がＨＤＴ２０２に転送されることにより、アナログＣＡＴＶ信号２０４を#1〜＃ｎのＯＮＵ２１０に伝送するための#1〜＃ｎのアナログ伝送路を、デジタルサービス信号２０４を#1〜＃ｎのＯＮＵ２１０に伝送するための#1〜＃ｎの各デジタル伝送路が収容される#1〜＃ｎの管路２０９に共有させて収容することができる。必要な設備を削減することができる。
【００３２】
これに加えて、第２の実施例では、ＮＶＯＤ等の同報サービス用のデジタルサービス信号２０５は、ＨＤＴ２０２内の変調器２０６により変調されてアナログサービス信号に変換され、アナログＣＡＴＶ信号２０４と混合されてから、#1〜＃ｎのＯＮＵ２１０に伝送される。従って、各ＯＮＵ２１０は、ＶＯＤ等の個別分配サービス用のデジタルサービス信号２０４を変調するための変調器２１２のみを内蔵すればよく、図１の変調器１０８−１のような、ＮＶＯＤ等の同報サービス用のデジタルサービス信号を変調するための変調器は内蔵する必要がない。具体的には、第２の実施例の場合、網全体で必要な変調器の数は、以下に示される如くとなる。
【００３３】
ＮＶＯＤサービスチャネル用の変調器２０６の数
：ｘチャネル分×１台                            ・・・▲３▼
ＶＯＤサービスチャネル用の変調器２１２の数
：ｙ1 チャネル分＋・・・＋ｙn チャネル分        ・・・▲２▼
この▲３▼＋▲２▼の全体数は、図５に示される従来技術又は図１に示される第１の実施例の場合に比較して、▲３▼−▲１▼の差の分だけ少なくて済む。このように、第２の実施例では、ＮＶＯＤ等の同報サービス用のデジタルサービス信号２０５を変調するための変調器をＨＤＴ２０２内に内蔵させることによって、必要な設備を削減することができる。
第３の実施例
図３は、本発明の第３の実施例の構成図である。
【００３４】
この実施例は、上述した本発明の第２の実施例を、ＶＯＤ／ＮＶＯＤサービス用システムとして、より具体化したものである。
第３の実施例において、図２に示される第２の実施例の場合と同じ番号が付された部分は、第２の実施例の場合と同じ機能を有する。
【００３５】
図３で、ＶＯＤ／ＮＶＯＤサーバ３０１から出力されるデジタルサービス信号のうち、ＶＯＤ等の個別分配サービス用のデジタルサービス信号２０４は、ＡＴＭ（Asynchronous Transfer mode）交換機などの交換機３０２によってスイッチされた後に、第２の実施例の場合と同様に、ＨＤＴ２０２内のデジタル部２０２−１に収容され、#1〜＃ｎの管路２０９に収容されるデジタル伝送路によって#1〜＃ｎのＯＮＵ２１０に伝送される。
【００３６】
また、ＶＯＤ／ＮＶＯＤサーバ３０１から出力されるデジタルサービス信号のうち、ＮＶＯＤデジタルサービス信号２０５は、第２の実施例の場合と同様に、直接ＨＤＴ２０２内のデジタル部２０２−１内の変調器２０６により変調されてアナログサービス信号に変換される。
【００３７】
以上説明した第３の実施例では、第２の実施例の場合と同様に、ＮＶＯＤサービス用のデジタルサービス信号２０５を変調するための変調器をＨＤＴ２０２内に内蔵させることによって、必要な設備を削減することができる。
第４の実施例
図４は、本発明の第４の実施例の構成図である。
【００３８】
この実施例は、前述した本発明の第２の実施例を、ＶＯＤサービス／リアルタイム映像提供サービス用システムとして、より具体化したものである。
第４の実施例において、図２に示される第２の実施例の場合と同じ番号が付された部分は、第２の実施例の場合と同じ機能を有する。
【００３９】
図４において、ＶＯＤサーバ４０１から出力される個別分配サービス用のデジタルサービス信号２０４は、ＡＴＭ交換機などの交換機４０２によってスイッチされた後に、第２の実施例の場合と同様に、ＨＤＴ２０２内のデジタル部２０２−１に収容され、#1〜＃ｎの管路２０９に収容されるデジタル伝送路によって#1〜＃ｎのＯＮＵ２１０に伝送される。
【００４０】
また、特には図示しないソースから入力されたニュース映像等のリアルタイム映像信号４０３は、例えばＭＰＥＧ符号化装置４０４によって圧縮及び符号化され、その結果得られる同報サービス用のデジタルサービス信号２０５は、第２の実施例の場合と同様に、直接ＨＤＴ２０２内のデジタル部２０２−１内の変調器２０６により変調されてアナログサービス信号に変換される。
【００４１】
以上説明した第４の実施例では、第２の実施例の場合と同様に、リアルタイム映像である同報サービス用のデジタルサービス信号２０５を変調するための変調器をＨＤＴ２０２内に内蔵させることによって、必要な設備を削減することができる。
【００４２】
なお、第４の実施例の構成においては、ＳＴＢ２１３は、受信したアナログサービス信号からＭＰＥＧ符号化されたデジタルサービス信号を分離し、元のリアルタイム映像信号を復号する機能を備えている。
【００４３】
【発明の効果】
本発明の第１の態様によれば、同報サービス用アナログサービス信号を各加入者終端装置に伝送するためのアナログ伝送路を、デジタルサービス信号を加入者終端装置に伝送するためのデジタル伝送路が収容される管路に共有させて収容することが可能となるため、管路の本数の削減が可能となり、必要な設備の削減が達成される。
【００４４】
本発明の第２の態様によれば、第１の態様と同様の効果に加えて、ニア・ビデオ・オン・デマンド・サービスやリアルタイム映像等の同報サービス用デジタルサービス信号は、サービス信号収容装置内の変調手段により変調されて同報サービス用アナログサービス信号に変換され、アナログ系同報サーバ手段から伝送されてきた同報サービス用アナログサービス信号と混合されてから、加入者終端装置に伝送されるため、各加入者終端装置は、ＶＯＤ等の個別分配サービス用デジタルサービス信号を変調するための変調手段のみを内蔵すればよく、同報サービス用デジタルサービス信号を変調するための変調手段は内蔵する必要がない。この結果、変調手段の数の削減が可能となり、必要な設備の削減が達成される。
【図面の簡単な説明】
【図１】本発明の第１の実施例の構成図である。
【図２】本発明の第２の実施例の構成図である。
【図３】本発明の第３の実施例の構成図である。
【図４】本発明の第４の実施例の構成図である。
【図５】従来技術の構成図である。
【符号の説明】
１０１、２０１、５０１                    ＣＡＴＶ−ＨＥ
１０２、２０２、５０６                    ＨＤＴ
１０３、２０３                            デジタルサービス信号
１０４                                    アナログＣＡＴＶ信号
１０５、２０９、５０４、５０７            管路
１０６、２１０、５０２                    ＯＮＵ
１０７、２０７、２１１、５０５            ミキサ（ＭＩＸ）
１０８、２０６、２１２、５０８            変調器
１０９、２１３、５０３                    ＳＴＢ
２０４                      個別分配サービス用のデジタルサービス信号
２０５                      同報分配サービス用のデジタルサービス信号
２０８                      同報サービス用のアナログサービス信号
３０１                                    ＶＯＤ／ＮＶＯＤサーバ
３０２、４０２                            交換機
４０１                                    ＶＯＤサーバ
４０３                                    リアルタイム映像信号
４０４                                    ＭＰＥＧ符号化装置
【図１】
0003645308.tif 000002
【図２】
0003645308.tif 000003
【図３】
0003645308.tif 000004
【図４】
0003645308.tif 000005
【図５】
0003645308.tif 000006